(57)【要約】【課題】基板の振動を抑制し得る筐体を構成する。【解決手段】一端側に開口１０ａを備えているケース１０と、開口１０ａを閉じるカバー２０とを有し、ケース１０に基板１を収容し、カバー２０を閉じた状態において、基板１に力を作用させることにより基板１をケース１０に押し付けて保持する押圧保持部Ｈを備えた。【選択図】図８
2020027877.tif 000002
【特許請求の範囲】
【請求項１】
一端側に開口を備えているケースと、
前記開口を閉じるカバーと、を備え、
前記ケースに基板を収容し、前記カバーを閉じた状態において、前記カバーが前記基板に力を作用させることにより前記基板を前記ケースに押し付けて保持する押圧保持部を有する筐体。
【請求項２】
前記ケースは、前記開口から挿入される前記基板をガイド経路に沿ってガイドするために前記基板の上面側と下面側とが夫々対向する２つのガイド面を有するガイド部材を内部に備えており、
前記押圧保持部が、前記基板に当接し、２つの前記ガイド面のうちの何れか一方の前記ガイド面に前記基板を押し付ける押圧力を作用させる押圧部材を備えて構成されている請求項１に記載の筐体。
【請求項３】
前記押圧保持部が、前記押圧部材からの押圧力により前記基板が押し付けられた前記ガイド面と反対側に前記ガイド部材の面に当接することにより、前記押圧部材から作用する押圧力による前記ガイド部材の変位を規制する規制部材を有している請求項２に記載の筐体。
【請求項４】
前記基板の前記ケースへの挿入方向の先端部に当接することにより前記押圧部材による前記基板への押圧力が作用する方向と同じ方向に押圧力を作用させる突起部が、２つの前記ガイド面のうちの何れか他方の前記ガイド面に備えられている請求項２又は３に記載の筐体。
【請求項５】
２つの前記ガイド面のうちの何れか他方の前記ガイド面を有する前記ガイド部材の前記開口に近い部位を取り除いて、２つの前記ガイド面のうちの何れか他方の前記ガイド面を有する前記ガイド部材のガイド方向の長さが、何れか一方の前記ガイド面を有する前記ガイド部材のガイド方向の長さよりも短くなることにより、何れか他方の前記ガイド面を有する前記ガイド部材の外端側に開放空間が形成されており、
前記開放空間に前記押圧部材が収容されている請求項２〜４のいずれか一項に記載の筐体。
【発明の詳細な説明】
【技術分野】
【０００１】
本発明は、基板を収容する筐体に関する。
【背景技術】
【０００２】
上記構成の筐体として特許文献１には、基板を収容するケースの内部に、基板の幅方向となる横方向での位置決めを行う第１のガイド突出部を備え、ケースの端部の開口部分を閉じるカバーの内面に、基板を厚さ方向となる垂直方向から挟持する垂直位置決め部を備えた技術が記載されている。
【先行技術文献】
【特許文献】
【０００３】
【特許文献１】特開２００６−１９６７４号公報
【発明の概要】
【発明が解決しようとする課題】
【０００４】
自動車のように内燃機関を有する車両では、内燃機関や車体に備えた機器を制御するための基板を必要とするものであり、この基板は密封型のケースに収容した状態で車体の各部に備えられる。
【０００５】
車両では、走行時の振動によりケースが振動することがあった。このとき、ケースの内部で基板が適正に保持されず基板と基板を保持する部材との間に隙間が存在するものでは、ケース内部で基板が振動し異音の発生に繋がるものであった。
【０００６】
ここで、特許文献１の構成を考えると、この特許文献１では、ケースの内部に形成されたガイド部で基板の挿入方向の先端から中ほどまでを保持し、カバーに形成された垂直位置決め部で基板の挿入方向の後端を保持する構成を有している。しかし、特許文献１の構成では、カバーとケースとが固定されているものの、基板とケースとカバーとを一体的に固定する構成を有していないため、ケースとカバーとの間に隙間があるものでは、外部からの振動が作用すると隙間により基板が振動して異音が発生するおそれがあった。
【０００７】
このような理由から、外部から振動が作用しても基板の振動を抑制し得る筐体が求められる。
【課題を解決するための手段】
【０００８】
本発明に係る筐体の特徴構成は、一端側に開口を備えているケースと、前記開口を閉じるカバーと、を備え、前記ケースに基板を収容し、前記カバーを閉じた状態において、前記カバーが前記基板に力を作用させることにより前記基板を前記ケースに押し付けて保持する押圧保持部を有する点にある。
【０００９】
この特徴構成によると、ケースに基板を収容し、ケースの開口をカバーで閉じた状態では、押圧保持部が基板に力を作用させ、その力で基板をケースに押し付けて保持する。また、基板がケースに保持される状態では、押圧保持部から基板に作用する力の反力がカバーに作用するため、基板とカバーとの相対的な変位の抑制も可能となり、結果としてカバーに対して基板が保持される。このように基板がケースとカバーとに保持される状態では、例えば、外部からの振動が基板に伝えられても基板が、ケースとカバーとの何れに対しても相対変位することがなく、基板を振動させる現象も抑制できる。
従って、基板を収容するケースと、ケースの開口を閉じるカバーとの何れに対しても基板の振動を抑制し、異音を発生させることがない筐体が構成された。
【００１０】
他の構成として、前記ケースは、前記開口から挿入される前記基板をガイド経路に沿ってガイドするために前記基板の上面側と下面側とが夫々対向する２つのガイド面を有するガイド部材を内部に備えており、前記押圧保持部が、前記基板に当接し、２つの前記ガイド面のうちの何れか一方の前記ガイド面に前記基板を押し付ける押圧力を作用させる押圧部材を備えて構成されても良い。
【００１１】
これによると、２つのガイド面の間に基板を挿入することにより、ガイド経路に沿ってケースの内部に基板を挿入できる。また、ケースの開口をカバーで閉じた状態では、押圧部材から作用する力により、２つのガイド面の何れか一方に基板を押し付け、ガイド部材と押圧部材との間に基板を挟み込んだ押圧状態が作り出される。これにより、基板をガイド体に押し付けた状態で保持し、基板の振動を抑制できる。
【００１２】
他の構成として、前記押圧保持部が、前記押圧部材からの押圧力により前記基板が押し付けられた前記ガイド面と反対側に前記ガイド部材の面に当接することにより、前記押圧部材から作用する押圧力による前記ガイド部材の変位を規制する規制部材を有しても良い。
【００１３】
これによると、ケースに基板を収容し、ケースの開口をカバーで閉じた状態では、押圧部材からの押圧力により２つのガイド面の一方に基板を押し付けると共に、このように基板が押し付けられるガイド部材のうち基板が押し付けられる面と反対側の面に規制部材が接触する。これにより、押圧部材から作用する力によるガイド部材の変位を規制部材が受け止めることが可能となり、ガイド部材の姿勢を安定させて基板を一層良好に保持し、基板の振動を抑制できる。
【００１４】
他の構成として、前記基板の前記ケースへの挿入方向の先端部に当接することにより前記押圧部材による前記基板への押圧力が作用する方向と同じ方向に押圧力を作用させる突起部が、２つの前記ガイド面のうちの何れか他方の前記ガイド面に備えられても良い。
【００１５】
これによると、ガイド経路に沿ってケースの内部に基板を収容した場合には、基板の挿入方向の先端部に突起部が接触し、この突起部から作用する押圧力により基板をガイド材のガイド面に押し付ける。この押圧力の作用方向が、押圧部材から前記基板に押圧力が作用する方向と同じ方向であるため、ケースの開口をカバーで閉じた状態では、基板の挿入方向の先端部から、挿入方向の後端部に亘る領域において基板をガイド部材のガイド面に押し付け、基板とガイド部材との間に隙間を作ることもない。これにより、基板の振動を更に抑制できる。
【００１６】
他の構成として、２つの前記ガイド面のうちの何れか他方の前記ガイド面を有する前記ガイド部材の前記開口に近い部位を取り除いて、２つの前記ガイド面のうちの何れか他方の前記ガイド面を有する前記ガイド部材のガイド方向の長さが、何れか一方の前記ガイド面を有する前記ガイド部材のガイド方向の長さよりも短くなることにより、何れか他方の前記ガイド面を有する前記ガイド部材の外端側に開放空間が形成されており、
前記開放空間に前記押圧部材が収容されても良い。
【００１７】
これによると、ケースに基板を収容し、ケースの開口をカバーで閉じた状態では、開放空間に押圧部材が収容され、このように収容された押圧部材からの押圧力を基板に作用させることが可能となる。特に、この構成では、基板面に直交する方向視においてガイド部材と押圧部材とを重複する位置に配置できるため、ガイド部材のガイド面に対して基板を強く押し付けることが可能となる。また、基板を押圧部材とガイド部材とで挟み込んで保持するため、基板とケースとカバーとの相対的な位置関係が一義的に定まり、基板を一層良好に保持することができ、基板の振動を抑制できる。
【図面の簡単な説明】
【００１８】
【図１】筐体の全体を示す斜視図である。
【図２】ケースの開口側から見た筐体の分解斜視図である。
【図３】ケースの底壁側から見た筐体の分解斜視図である。
【図４】ケースの正面図である。
【図５】押圧部材と規制部材との位置関係を示す斜視図である。
【図６】押圧部材と基板と主ガイド部材と規制部材とを示す断面図である。
【図７】ケースの縦断側面図である。
【図８】ケースに基板を挿入した状態のケースとカバーとの縦断側面図である。
【図９】ケースの開口をカバーで閉じた状態の筐体の縦断側面図である。
【図１０】別実施形態（ａ）、（ｂ）の筐体の縦断側面図である。
【図１１】別実施形態（ａ）、（ｂ）の押圧部材と規制部材とを示す断面図である。
【図１２】別実施形態（ｃ）の押圧部材と規制部材とを示す断面図である。
【図１３】別実施形態（ｄ）の筐体の縦断側面図である。
【発明を実施するための形態】
【００１９】
以下、本発明の実施形態を図面に基づいて説明する。
〔基本構成〕
図１〜図３に示すように、基板１を収容する樹脂製のケース１０と、このケース１０の開口１０ａを閉じる樹脂製のカバー２０とを備えて筐体Ａが構成されている。基板１は、電子部品２を実装し、実装した電子部品２に対する情報のアクセスを可能にするようにプリント配線に接続するコネクタ３を備えている。
【００２０】
この筐体Ａは、自動車等の車両でエンジンを制御するＥＣＵ（ Electronic control unit）を構成する基板１を収容するものを示しており、コネクタ３に接続されるケーブルにより制御に必要な情報が入出力される。この筐体Ａは任意の姿勢で車体フレーム等に支持されるが、図１に示す姿勢に基づき各部の位置関係を説明する。特に、左右の関係と、上下の関係と前後の関係を同図に示している。
【００２１】
〔ケース〕
図１〜図４に示すように、ケース１０は有底角筒状であって、上壁１１と、下壁１２と、左右の側壁１３と、これらに連なる底壁１４とを一体的に形成し、底壁１４に対向する位置に矩形の開口１０ａが形成されている。側壁１３の外面には、カバー２０を係合保持するための係合突起１５と、筐体Ａを車体に支持する際にブラケット（図示せず）をケース１０に保持するための保持体１６とが形成されている。
【００２２】
また、図２、図４に示すように、左右の側壁１３の内面には基板１をガイド経路に沿ってガイドするためレール状で互いに平行する姿勢となる主ガイド部材３１と、副ガイド部材３２とが夫々形成されている。主ガイド部材３１と副ガイド部材３２とは、ガイド経路に沿って基板１の上面側と下面側とに夫々対向する位置に配置されている。
【００２３】
図６、図７に示すように、主ガイド部材３１の下側（基板１の上面に対向する面）に主ガイド面３１ａが形成され、副ガイド部材３２の上側（基板１の下面に対向する面）に副ガイド面３２ａが形成されている。尚、主ガイド面３１ａと副ガイド面３２ａとの間にガイド経路が形成される。また、主ガイド面３１ａと、副ガイド面３２ａとの間隔は、基板１の厚みより僅かに大きい値に設定されている。
【００２４】
図７〜図９に示すように、主ガイド部材３１は、底壁１４から開口１０ａの近傍に達するようにガイド方向での長さが設定されている。副ガイド部材３２は、主ガイド部材３１と比較して開口１０ａに近い部位を取り除いた形状で形成されている。これにより、副ガイド部材３２は主ガイド部材３１よりガイド方向で短い長さとなり、この長さ関係から副ガイド部材３２の外端側（開口１０ａに近接した側）で、且つ主ガイド部材３１の下側に開放空間Ｓが形成される。
【００２５】
図７に示すように、基板１をケース１０に挿入した場合に、基板１の挿入方向の先端の下面側に当接する突起部３３が副ガイド部材３２から上方に突出するように、この副ガイド部材３２に一体的に形成されている。具体的には、副ガイド部材３２のうち、底壁１４の近傍の副ガイド面３２ａから上方に突出する突起部３３が形成されている。この構成では、突起部３３の突出端（図７で上端）と、主ガイド面３１ａとの間隔が基板１の厚みより僅かに小さく設定されている。突起部３３はガイド方向に沿う方向に延びる板状であり、基端部分の板厚が大きく、突出端側ほど板厚（左右方向での長さ）が小さくなるように成形されている。
【００２６】
このような構成から、主ガイド部材３１と副ガイド部材３２との間に、二点鎖線で示すように基板１が挿入され、この基板１が、図８に示すように挿入端に達する過程では突起部３３の上端部分が基板１によって潰されることにより、基板１の挿入が許されると共に、基板１の下面に突起部３３が強く接触した状態となる。これにより、基板１に対して上方に持ち上げる方向に力が作用し、基板１の上面を主ガイド面３１ａに強く接触させ、この押圧状態が維持される。
【００２７】
〔カバー〕
図１〜図３に示すように、カバー２０は、開口１０ａを閉じる位置に配置されるカバー本体２１と、ケース１０の左右の側壁１３の外面の係合突起１５に係合する左右一対の係合連結部材２２とが一体的に形成されている。
【００２８】
また、カバー本体２１には、基板１に備えたコネクタ３の外端側を露出させる孔部２１ａが形成されている。尚、係合連結部材２２は、樹脂の弾性力により係合突起１５に係合する状態を維持し、人為的な操作により係合突起１５の係合の解除も可能に構成されている。
【００２９】
特に、図３、図５、図８、図９に示すように、カバー２０の左右方向での両端の内面側には、ケース１０の方向に延びる押圧部材２４と、規制部材２５とが形成されている。
【００３０】
押圧部材２４は、ケース１０の開口１０ａを閉じる位置にカバー２０を備えた状態でケース１０の開口１０ａからケース１０の内部に挿入され、基板１の下面側に接触する位置に配置される。また、この押圧部材２４の上面には、板状の押圧部２４ａが上方に向けて突設されている。この押圧部２４ａは、基端部分の板厚が大きく、先端側ほど板厚（左右方向の長さ）が小さくなるように成形されている。
【００３１】
規制部材２５は、ケース１０の開口１０ａを閉じる位置にカバー２０を備えた状態でケース１０の開口１０ａからケース１０の内部に挿入され、主ガイド部材３１の上面に接触する位置に配置されるようにカバー２０に一体形成されている。この規制部材２５の下面には平坦な規制面２５ａが形成されている。
【００３２】
つまり、規制部材２５は、主ガイド部材３１において、基板１が押圧状態で接する主ガイド面３１ａと反対側となる上面に当接することにより、押圧部材２４から作用する押圧力による主ガイド部材３１の上方への変位を規制する。
【００３３】
〔基板の保持形態〕
この筐体Ａでは、基板１をケース１０の内部に収容し、カバー２０によってケース１０の開口１０ａを閉じる操作を行った場合に、この閉じ操作に伴う力を基板１に作用させることによって基板１を主ガイド部材３１と押圧部材２４とで挟み込むと同時に、主ガイド部材３１を規制部材２５で押圧することにより基板１をケース１０に保持する押圧保持部Ｈを有している。
【００３４】
つまり、押圧保持部Ｈは、押圧部材２４と規制部材２５と主ガイド部材３１とを有しており、基板１の下面に押圧部材２４が押し付けられる状態では、この押圧部材２４と基板１との相対移動が不能となり、押圧部材２４を介してカバー２０に基板１が保持される。
【００３５】
前述したように、突起部３３の突出端と、主ガイド面３１ａとの間隔が基板１の厚みより小さく設定されているため、図７、図８に示すように基板１を、主ガイド部材３１と副ガイド部材３２との間のガイド経路に沿って挿入した場合には、基板１の挿入方向の先端部が、底壁１４の内面に接触する位置に達する過程で、基板１の挿入方向の先端部の下面が突起部３３に強く接触し、突起部３３の突出端を潰すことになる。
【００３６】
これにより、基板１の挿入方向の先端部が、底壁１４の内面に接触する位置に達した状態では、突起部３３の潰された部位が基板１の挿入方向の先端部の下面に圧力を作用させるため、基板１の挿入方向の先端部を主ガイド部材３１の主ガイド面３１ａに継続的に押し付ける。
【００３７】
このようにケース１０に基板１が収容された状態で、ケース１０の開口１０ａを閉じる位置にカバー２０をセットし、２つの係合連結部材２２を対応する係合突起１５に係合させることによりカバー２０がケース１０に保持される。この状態では、図９に示すように、押圧部材２４が、副ガイド部材３２の外端側で主ガイド部材３１の下側の開放空間Ｓに収容される。
【００３８】
カバー２０をケース１０に係合保持した状態では、押圧部材２４の押圧部２４ａの上端部分が基板１の下面に強く接触する。このように強く接触することにより、押圧部２４ａの上端部分の一部が潰されることになり、基板１の挿入方向の後端部を主ガイド部材３１の主ガイド面３１ａに継続的に押し付けることになる。
【００３９】
更に、押圧部材２４の押圧部２４ａが基板１の下面に接触する際には、押圧保持部Ｈとして機能する規制部材２５の規制面２５ａが主ガイド部材３１の上面（主ガイド面３１ａの反対側の面）に接触する。このように規制面２５ａが接触することにより、押圧部材２４から主ガイド部材３１に作用する力を規制部材２５が受け止め、主ガイド部材３１の上方への変位を規制するので、基板１を適正な位置に保持することができる。
【００４０】
図６に示すように、ケース１０の開口１０ａを閉じる位置にカバー２０を備えた状態では、押圧部材２４と規制部材２５とが、基板１を挟んで上下方向に対向する位置に配置されることから、押圧部材２４から基板１を介して主ガイド部材３１に伝えられる力を無理なく規制部材２５を受け止めることが可能となり、基板１や主ガイド部材３１等に偏った力を作用させることがない。
【００４１】
〔実施形態の作用効果〕
このように、筐体Ａでは、基板１をケース１０の内部に収容し、カバー２０によってケース１０の開口１０ａを閉じる操作を行うことにより、押圧保持部Ｈを構成する主ガイド部材３１と押圧部材２４とで基板１を挟み込み、更に突起部３３が基板１の挿入方向の先端部を主ガイド面３１ａに押し付けている。これにより、基板１の挿入方向の先端部から後端部に亘る領域を主ガイド部材３１の主ガイド面３１ａに押圧する状態が維持されるので、基板１をケース１０に対して保持することになる。これと同時に、押圧部材２４が基板１を押圧する状態に維持するため、基板１はカバー２０に対しても保持される。
【００４２】
これにより、外部からの振動が伝えられる状況でも、ケース１０とカバー２０との何れに対しても基板１が振動することはなく、異音の発生を招くことがない。
【００４３】
更に、ケース１０に基板１を収容し、ケース１０の開口１０ａをカバー２０で閉じる操作を行った場合には、押圧部材２４の押圧力により基板１が押し付けられる主ガイド部材３１の主ガイド面３１ａの反対側の面に規制部材２５の規制面２５ａが接触する。これにより、押圧部材２４から作用する力による主ガイド部材３１の変位を規制部材２５が受け止め主ガイド部材３１を介して基板１を適正な位置に保持できる。
【００４４】
ケース１０の開口１０ａをカバー２０で閉じる操作を行った場合には、開放空間Ｓに押圧部材２４が収容され、基板面に直交する方向視において主ガイド部材３１と押圧部材２４とが重複する位置に配置できるため、ガイド部材のガイド面に対して基板を強く押し付けることが可能となる。
【００４５】
〔別実施形態〕
本発明は、上記した実施形態以外に以下のように構成しても良い（実施形態と同じ機能を有するものには、実施形態と共通の番号、符号を付している）。
【００４６】
（ａ）図１０、図１１に示すように、規制部材２５（押圧保持部の一例）に対し、ケース１０の上壁１１の内面に当接する当接部２５ｂを、規制面２５ａの反対側に形成する。つまり、カバー２０が、ケース１０の開口１０ａを閉じる位置にある場合に、規制部材２５の規制面２５ａが主ガイド部材３１の上面（主ガイド面３１ａの反対側の面に）に接触すると同時に、規制部材２５の当接部２５ｂがケース１０の上壁１１の内面に当接するように構成する。
【００４７】
規制部材２５は、押圧部材２４から作用する力により主ガイド部材３１が変位する現象を規制するように機能するものであるが、主ガイド部材３１から作用する反力により主ガイド部材３１から上側に持ち上げる方向に変位しやすいものとなる。
【００４８】
これに対して、別実施形態（ａ）のように、規制部材２５に当接部２５ｂを形成することにより、主ガイド部材３１を上方に変位させる方向に作用する力を、規制部材２５を介してケース１０に伝えることにより、この変位を規制部材２５とケース１０とで受け止め、基板１を一層確実に適正な位置に保持できる。
【００４９】
この別実施形態（ａ）では、当接部２５ｂとして、上端ほど板厚が小さくなる板状の構造を示しているが、この構成に代えて、上壁１１の内面に沿うように平坦となる当接構造を用いても良い。
【００５０】
（ｂ）図１０、図１１に示すように、押圧部材２４（押圧保持部Ｈの一例）に対し、ケース１０の下壁１２の内面に接触する接触部２４ｂを、押圧部２４ａの反対側に形成する。つまり、カバー２０が、ケース１０の開口１０ａを閉じる位置にある場合に、押圧部材２４の押圧部２４ａが基板１の下面に接触すると同時に、押圧部材２４の接触部２４ｂがケース１０の下壁１２の内面に当接するように構成する。
【００５１】
押圧部材２４は、基板１の下面を押圧して圧力を作用させるように機能するものであるが、基板１から作用する反力により、基板１から下方に変位しやすいものとなる。
【００５２】
これに対して、別実施形態（ｂ）のように、押圧部材２４の接触部２４ｂを形成することにより、押圧部材２４を下方に変位させる力を、押圧部材２４を介してケース１０に伝えることにより、この変位を押圧部材２４とケース１０とで受け止め、押圧部材２４から基板１に作用する力を確実に維持することが可能となる。
【００５３】
この別実施形態（ｂ）では、接触部２４ｂとして、下端ほど板厚が小さくする板状の構造を示しているが、この構成に代えて、下壁１２の内面に沿うように平坦となる接触構造を用いても良い。
【００５４】
尚、別実施形態（ａ）の規制部材２５の構成と、別実施形態（ｂ）の押圧部材２４との一方の構成を備えるように筐体Ａを構成して良く、また、図１０、図１１に示すように、別実施形態（ａ）の押圧部材２４の構成と、別実施形態（ｂ）の規制部材２５との構成をともに備えるように筐体Ａを構成しても良い。
【００５５】
更に、別実施形態（ｂ）の押圧部材２４のみを有する構成においては、主ガイド部材３１の上下方向の長さ（幅）を大きくして主ガイド部材３１の剛性を高めると良い。これにより、押圧部材２４により基板１が主ガイド部材３１に押し付けられても主ガイド部材３１が変形し難くなり、規制部材２５がなくても基板１を適正な位置に保持できる。
【００５６】
（ｃ）図１２に示すように、主ガイド部材３１を側壁１３から内方に向け、副ガイド部材３２より更に内方（同図で右側）に張り出すように形成し、図１２に示す方向視において、副ガイド部材３２と重複しない位置において押圧部材２４を基板１の底面に押圧させ、この上方に規制部材２５を配置する。
【００５７】
この別実施形態（ｃ）の構成では、図１２に示す方向視で副ガイド部材３２と重複しない位置に押圧部材２４を配置できるため、副ガイド部材３２をケース１０の開口１０ａの近傍に達するようにガイド方向での寸法を設定することが可能となり、基板１をケース１０の内部に収容する際に、主ガイド部材３１と副ガイド部材３２との間のガイド経路に容易に挿入することが可能となる。
【００５８】
（ｄ）図１３に示すように、ケース１０に基板１を収容した状態で、カバー２０に備えた押圧部材２４の下端の押圧部２４ａを基板１の上面に接触させると共に、押圧部材２４の上端の接触部２４ｂをケース１０の上壁１１の内面に接触させるように構成する。
【００５９】
この別実施形態（ｄ）では、押圧保持部Ｈは、押圧部材２４と副ガイド部材３２とで構成される。この構成ではケース１０の開口１０ａを閉じる位置にカバー２０を備えた状態で、押圧部材２４の接触部２４ｂがケース１０の上壁１１の内面に接触し、基板１の下面が副ガイド部材３２の副ガイド面３２ａに接触する。
【００６０】
また、この別実施形態（ｄ）では、基板１をケース１０に挿入した場合に、基板１の挿入方向の先端の上面に当接する突起部３３が主ガイド部材３１から下方に突設されている。尚、実施形態で説明したものと同様に、突起部３３の突出端と副ガイド面３２ａとの間隔が、基板１の厚みより僅かに小さく設定され、突出端ほど板厚が小さく設定されている。更に、押圧部材２４の押圧部２４ａは突出端ほど板厚が小さく設定されている。
【００６１】
この別実施形態（ｄ）では、副ガイド部材３２が、底壁１４から開口１０ａの近傍に達するようにガイド方向での長さが設定されるものの、主ガイド部材３１は、副ガイド部材３２と比較して開口１０ａに近い部を取り除いた形状で形成されている。従って、ケース１０の開口１０ａを閉じる位置にカバー２０を備えた状態では、主ガイド部材３１の外端側に形成された空間に押圧部材２４の下面の押圧部２４ａが配置される。
【００６２】
この構成では、副ガイド部材３２が下壁１２に接する位置に形成されるため、実施形態で説明した規制部材２５に相当するものが不要となり、しかも、押圧部材２４の押圧力を基板１の上面に作用させることで、基板１を副ガイド部材３２の副ガイド面３２ａに強く接触させ、基板１を振動させることがない状態での基板１の支持が可能となる。
【産業上の利用可能性】
【００６３】
本発明は、基板を収容する筐体に利用することができる。
【符号の説明】
【００６４】
１          基板
１０        ケース
１０ａ      開口
２０        カバー
２４        押圧部材
２５        規制部材
３１        主ガイド部材（ガイド部材）
３１ａ      主ガイド面（ガイド面）
３２        副ガイド部材（ガイド部材）
３２ａ      副ガイド面（ガイド面）
３３        突起部
Ｈ          押圧保持部
Ｓ          開放空間
【図１】
2020027877.tif 000003
【図２】
2020027877.tif 000004
【図３】
2020027877.tif 000005
【図４】
2020027877.tif 000006
【図５】
2020027877.tif 000007
【図６】
2020027877.tif 000008
【図７】
2020027877.tif 000009
【図８】
2020027877.tif 000010
【図９】
2020027877.tif 000011
【図１０】
2020027877.tif 000012
【図１１】
2020027877.tif 000013
【図１２】
2020027877.tif 000014
【図１３】
2020027877.tif 000015